(57)【特許請求の範囲】
【請求項１】
上方開口状の箱体を有し、該箱体の内部にバーナを備えた加熱部が、上方開口部に焼肉用調理具が着脱可能に配置されると共に、箱体の底部にドレインパンが配置され、上記加熱部の外周部と箱体の内周面との間に帯環状の遮熱板を配置し、上記ドレインパンをリング状に形成して中央部に支持周壁部を立ち上げ形成し、上記加熱部を、上記支持周壁部の内側に収容したバーナと、上記支持周壁部の上方に配置した加熱板とで構成し、該加熱板を、上記支持周壁部の上部に設置した受け具に設置し、上記受け具は、外周側下方へテーパー状且つ中央開口状の載置板の上面に円周方向に配置された複数枚の支持板を立設固定して、該支持板上に上記加熱板を載置可能にし、上記支持板における上記載置板の外周部からの突出部位の先端部を上記遮熱板の内周面に固定したことを特徴とする加熱調理器具。
【発明の詳細な説明】
【技術分野】
【０００１】
本発明は、周壁部を有する箱体内にバーナが配置されたガス燃焼式の加熱調理器具において、ガスバーナからの熱影響による箱体の加熱を抑制して、箱体の焦げ付きを軽減する様にした、卓上又はテーブル組込式の加熱調理器具に関する。
【背景技術】
【０００２】
従来、ガス燃焼式加熱調理器具、特に焼肉、焼魚、焼鳥等の焼物料理に用いるガス燃焼式加熱調理器具では、基本的に、箱体内に、バーナを備えた加熱部が、箱体の上方開口部にロストル、焼き網等が配置されると共に、箱体の底部にドレインパンが配置されているのが一般的であり、ドレインパンは、箱体内の底部に設置するか、或いは箱体の底部に一体形成されている。そして、加熱調理時に焼きカス、肉汁等がロストル、焼き網等より落下することから、焼きカス、肉汁等を受け、而も過熱防止機能をも併せ持たせるために、ドレインパンに水を溜める様にしている（例えば、特許文献１参照）。
【先行技術文献】
【特許文献】
【０００３】
【特許文献１】実開平３−２７４３９号公報
【発明の概要】
【発明が解決しようとする課題】
【０００４】
しかし、上記従来技術にあっては、特に日本風の焼肉調理の場合、食材の表面を可能な限り乾かない状態で少々焼き焦がすことで、ジューシーで香ばしい食味を得るために、バーナの火力を、一般的な家庭用のガスコンロより強くする必要があることから、箱体の周壁部が過熱状態になり易く、特に卓上で使用する加熱調理器具の場合、箱体の周壁部とバーナ或いは該バーナ上に設置された熱板との間隙が狭く、その結果、加熱調理時に飛散し箱体の周壁部内面に付着した肉汁等が焦げ付き易くなるなど、解決せねばならない課題があった。
【課題を解決するための手段】
【０００５】
本発明は、上記従来技術に基づく、加熱部を収容状態の箱体が過熱状態に成り易い課題に鑑み、上方開口状の箱体を有し、該箱体の内部にバーナを備えた加熱部が、上方開口部に焼肉用調理具が着脱可能に配置されると共に、箱体の底部にドレインパンが配置され、上記加熱部の外周部と箱体の内周面との間に帯環状の遮熱板を配置し、上記ドレインパンをリング状に形成して中央部に支持周壁部を立ち上げ形成し、上記加熱部を、上記支持周壁部の内側に収容したバーナと、上記支持周壁部の上方に配置した加熱板とで構成し、該加熱板を、上記支持周壁部の上部に設置した受け具に設置し、該受け具に上記遮熱板を固定し、上記受け具は、外周側下方へテーパー状且つ中央開口状の載置板の上面に円周方向に配置された複数枚の支持板を立設固定して、該支持板上に上記加熱板を載置可能にし、上記支持板における上記載置板の外周部からの突出部位の先端部を上記遮熱板の内周面に固定することによって、加熱部からの熱を可能な限り遮断し箱体の周壁部を可能な限り過熱しない様にして、上記課題を解決する。
【発明の効果】
【０００６】
要するに本発明は、上方開口状の箱体を有し、上方開口状の箱体を有し、該箱体の内部にバーナを備えた加熱部が、上方開口部に焼肉用調理具が着脱可能に配置されると共に、箱体の底部にドレインパンが配置され、上記加熱部の外周部と箱体の内周面との間に帯環状の遮熱板を配置し、上記箱体の上方開口部に焼肉用調理具が配置され、上記ドレインパンをリング状に形成して中央部に支持周壁部を立ち上げ形成し、上記加熱部を、上記支持周壁部の内側に収容したバーナと、上記支持周壁部の上方に配置した加熱板とで構成し、該加熱板を、上記支持周壁部の上部に設置した受け具に設置し、該受け具に上記遮熱板を固定し、上記受け具は、外周側下方へテーパー状且つ中央開口状の載置板の上面に円周方向に配置された複数枚の支持板を立設固定して、該支持板上に上記加熱板を載置可能にし、上記支持板における上記載置板の外周部からの突出部位の先端部を上記遮熱板の内周面に固定したので、加熱部におけるバーナからの熱は、遮熱板の熱遮断作用により周囲には拡散せずに殆どがバーナの真上へ誘導されることから、第１に、箱体の周壁部の過熱を抑制して、肉汁、吹きこぼれ等の汚れ付着による焦げ付きを防止出来るため、箱体の洗浄を容易化することが可能となり、特に店舗で使用するのであれば洗浄作業の負荷を低減化することが出来ると共に、ドレインパンの表面加工の損耗を抑止することが出来、特に周壁部内面にフッソ樹脂加工を施した箱体には有効であり、第２に加熱調理面の温度が上昇し焼き性能が向上するため、焼き斑を軽減させることが出来、第３に、ドレインパンの水の蒸発を抑制することが出来る。
【０００７】
上記箱体の上方開口部に焼肉用調理具が配置され、上記ドレインパンをリング状に形成して中央部に支持周壁部を立ち上げ形成し、上記加熱部を、上記支持周壁部の内側に収容したバーナと、上記支持周壁部の上方に配置した加熱板とで構成し、該加熱板を、上記支持周壁部の上部に設置した受け具に設置し、該受け具に上記遮熱板を固定したので、焼物用、特に焼肉用の加熱調理器具として、バーナ及び赤熱化した加熱板からの輻射熱の箱体への到達量をきわめて低く抑えることが出来るため、箱体の周壁部の過熱を抑制することが出来、而も遮熱板が支持周壁部に対し着脱可能な加熱板受け具に固定されているため、洗浄作業等での取扱性を向上させることが出来る。
更に、上記受け具は、外周側下方へテーパー状且つ中央開口状の載置板の上面に複数枚の支持板を固定して、該支持板上に上記加熱板を載置可能にしたので、加熱板からの下方気流がドレインパンの水面に直接触れる面積を減少させるべく、載置板により斜め下方に誘導することが出来るため、ドレインパンの水の蒸発量を抑制出来、よって水の補給頻度を低く抑えることが出来る。
【図面の簡単な説明】
【０００９】
【図１】本発明に係る加熱調理器具の概略断面図である。
【図２】本発明に係る加熱調理器具の実施例１の断面図である。
【図３】図２の加熱調理器具に使用する加熱板受け具の平面図である。
【図４】図３のＡ−Ａ断面図である。
【発明を実施するための形態】
【００１０】
以下、本発明を実施するための形態を図面に基づき説明する。
図１に示す様に、本発明に係る加熱調理器具は、基本的に上方開口状の箱体１を有し、該箱体１の内部にバーナ２を備えた加熱部３が配置されると共に、箱体１の底部にドレインパン４が配置され、上記加熱部３の外周部と箱体１の内周面との間に帯環状の遮熱板５を配置している。
又、箱体１の上方開口部６には、実施例１におけるロストル、焼き網等の焼肉用調理具７を着脱可能に配置する様に成っている。
以下、具体的に説明する。
【実施例１】
【００１１】
図２に示す様に、本発明に係る加熱調理器具の実施例１は、卓上の焼肉用加熱調理器具で、上記と同様の箱体１、バーナ２を備えた加熱部３、ドレインパン４及び遮熱板５を備え、箱体１の上方開口部６に焼肉用調理具７が配置されている。
【００１２】
ドレインパン４は箱体１に一体形成され、このドレインパン４をリング状に形成して中央部に支持周壁部８を立ち上げ形成している。
【００１３】
加熱部３は、支持周壁部８の内側に収容したバーナ２と、支持周壁部８の上方に配置した加熱板９とで構成し、該加熱板９は、支持周壁部８の上部に設置した受け具10上に載置されている。
【００１４】
受け具10は、図３、４に示す様に、外周側下方へテーパー状且つ中央開口状の載置板11と、該載置板11の上面に円周方向に等間隔で配置し立設固定された複数枚の支持板12、12a …とを有し、該支持板12、12a …を載置板11の外周部より外側へ突出させ、この突出部位の先端部を遮熱板５の内周面に固定し、支持板12、12a …上に加熱板９を載置可能にしている。
【００１５】
そして、調理時には、バーナ２により赤熱化された加熱板９からの輻射熱と、加熱板９の切起こしを通過した炎及び熱で焼肉用調理具７を加熱し、バーナ２及び加熱板９からの輻射熱が、遮熱板５により周囲には拡散せずに、殆どが遮熱板５を加熱させたり、バーナの真上へ誘導されて、箱体１への到達量が大幅に減少して、該箱体１が過熱状態にならない。
【実施例２】
【００１８】
尚、上記実施例１では、卓上の加熱調理器具であったが、無煙ロースターを含むテーブル組込式の焼肉用ロースター（図示せず）であっても良い。
【符号の説明】
【００１９】
１          箱体
２          バーナ
３          加熱部
４          ドレインパン
５          遮熱板
６          上方開口部
７          焼肉用調理具
８          支持周壁部
９          加熱板
10          受け具
11          載置板
12、12a …  支持板
【図１】
0006017166.tif 000002
【図２】
0006017166.tif 000003
【図３】
0006017166.tif 000004
【図４】
0006017166.tif 000005